【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
遊技機内部に貯留される遊技球を排出する球抜き装置を備えた遊技機であって、
前記球抜き装置の球抜操作をロックするロック機構を設け、該ロック機構の操作は前記球抜き装置の球抜操作と別操作により行われ、該ロック機構を解除しなければ前記球抜き操作ができないようにしたことを特徴とする遊技機。
【請求項２】
前記球抜き装置は球抜き口を開閉する弁部材を有し、前記ロック機構は前記弁部材を閉じた状態に固定することを特徴とする請求項１記載の遊技機。
【請求項３】
前記球抜き装置は球抜き口を開閉する弁部材と該弁部材を操作する弁開閉レバーを備え、前記ロック機構は前記弁開閉レバーを固定することを特徴とする請求項１記載の遊技機。
【請求項４】
前記球抜き装置は球抜き口を開閉する弁部材と該弁部材を操作する弁開閉レバーと遊技機前面から前記弁開閉レバーに通じる球抜き孔とを備え、前記ロック機構は前記球抜き孔を塞ぐことを特徴とする請求項１記載の遊技機。
【手続補正２】
【補正対象書類名】明細書
【補正対象項目名】全文
【補正方法】変更
【補正の内容】
【発明の詳細な説明】
【発明の名称】遊技機
【技術分野】
【０００１】
本発明は、パチンコ機等の遊技球を用いる遊技機における球抜き装置に係り、詳しくは遊技機内に貯留した貯留タンクやタンクレールの遊技球を安全に機外へ排出すると共に、遊技機前面からの不正な球抜きを防止するようにした球抜き装置付遊技機に関するものである。
【背景技術】
【０００２】
例えば遊技球を用いるパチンコ機では、遊技球発射装置のハンドル回転によって上皿から発射装置に送られた遊技球を一球毎に遊技盤面に発射してパチンコゲームが行なわれる。このパチンコゲーム中の入賞条件に応じてパチンコ機裏面の賞球払出装置が作動し、裏面の貯留タンクやタンクレール等に貯留された遊技球を所定数、所定の賞球経路をへて上皿ないし下皿へ払い出される。
一方、遊技場の取付け島に設置された遊技機の取扱いによっては、貯留タンクやタンクレール内の貯留遊技球を抜取って他のパチンコ機へ補給する必要があり、また遊技機本体のメンテナンスや機種等の交換に際し、取付け島の遊技機装着部から機台を外す際に遊技機内の貯留遊技球を抜取る必要があり、球抜き装置が設けられている（特許文献１参照。）。
【０００３】
この球抜き操作は、通常遊技機前面枠の正面前面に開けられた小さな操作孔から球抜き操作棒を挿入して、賞球払出し経路の球通路の一部に設けられた球抜き装置を球抜き状態に作動し、球抜き装置より上流に貯留された貯留タンクやタンクレール等の貯留球を球抜き経路へ導き、パチンコ機の裏側へ放出するようになっている。
通常用いられる前記球抜き操作棒は、硬い針金状の棒材に摘まみを設けた程度の簡単なもので、遊技場ホールで管理されるが、例えば入手容易な直線棒材、例えば竹串等でも十分代用できる。
【０００４】
【特許文献１】特開平７−２４６２７７号
【発明の開示】
【発明が解決しようとする課題】
【０００５】
ところで前記賞球払出装置と球抜き装置とが上下に隣接して設置され、電動タイプの賞球払出装置の下部に球抜き装置を設けたものも多く使用され、球抜き装置上部の貯留球を全部排出するようにしたものがある。この場合、賞球払出装置の後段に賞球経路とは別の球抜き排出経路を設け、球抜き時は賞球経路とは別の球抜き排出経路側へ導く球抜き装置が組込まれている。
このような遊技機においては、遊技機内の貯留球を抜出す事が容易であっても、遊技者が遊技機の前面から不正に操作して、貯留球を不正に賞球払出し供給皿へ抜出す大きな問題があった。
【０００６】
すなわち球抜き装置は前記のごとく所定の球抜き操作棒以外のものでも簡単に操作でき、このため遊技機前面の賞球が払出される上皿ないし下皿供給口から不正物を侵入させて、不正に遊技機内の貯留球を賞球払出し経路の供給皿へ排出させる不正が行なわれる場合がある。このような不正はホール側にとっては大きな損害をこうむり、また気付かれない内に行なわれ易く、ホール管理者が閉店後の集計によって初めて異常が察知され、大きな問題となるものであった。
本発明の目的は上記の課題を解決すべく提案されたものであって、ホール関係者でなければ球抜き操作が行なわれないようにして、不正な球抜き操作が行われるのを防止した遊技機を提供する。
【課題を解決するための手段】
【０００７】
本発明は上記目的を達成するものであって、即ち本発明の請求項１の発明は、遊技機内部に貯留される遊技球を排出する球抜き装置を備えた遊技機であって、前記球抜き装置の球抜操作をロックするロック機構を設け、該ロック機構の操作は前記球抜き装置の球抜操作と別操作により行われ、該ロック機構を解除しなければ前記球抜き操作ができないようにしたことを特徴とする遊技機である。
【０００８】
本発明によれば、遊技機の内部に設けた球抜き装置のロック機構を解除しない限り、球抜き手段を操作しても貯留遊技球を排出できない。従って遊技場ホール関係者が、遊技機の前面扉及び中枠をキーで開けて遊技機内部に設けたロック機構を外さなければ、遊技機前面から球抜き棒等の球抜き手段操作しても貯留遊技球が排出できない。
【０００９】
本発明の請求項２の発明は、請求項１記載の発明において、前記球抜き装置は球抜き口を開閉する弁部材を有し、前記ロック機構は前記弁部材を閉じた状態に固定することを特徴とする。
【００１０】
本発明によれば、球通路の一部に設けた球抜き装置の弁部材を閉じた状態に固定するものであるから、球抜き手段によって弁部材を開こうとしても弁部材が開かず、球抜き操作ができない。球抜き操作が必要な際は、遊技場ホール関係者が遊技機の前面扉及び中枠を開き、内部の球抜き装置のロック機構を解除した後、球抜き手段の操作によって球抜き装置の開閉レバーが作動され、遊技機内貯留遊技球の球抜きが行われる。
【００１１】
本発明の請求項３の発明は、請求項１記載の発明において、前記球抜き装置は球抜き口を開閉する弁部材と該弁部材を操作する弁開閉レバーを備え、前記ロック機構は前記弁開閉レバーを固定することを特徴とする。
【００１２】
本発明によれば、通常球抜き装置は、遊技機裏面の賞球払出装置の前段又は後段側の球通路一部に球抜き口が設けられ、球抜き口を開閉する弁部材が設けられ、弁部材は球抜き操作手段である弁開閉レバーで開閉制御される。この弁開閉レバーがロック機構によって固定されるため、球抜き手段を操作しても弁部材が開かず球抜きが行われない。球抜き操作が必要な際は、前記同様に遊技場関係者が遊技機の前面扉及び中枠を開き、ロック機構を解除して行われる。
【００１３】
本発明の請求項４の発明は、請求項１記載の発明において、前記球抜き装置は球抜き口を開閉する弁部材と該弁部材を操作する弁開閉レバーと遊技機前面から前記弁開閉レバーに通じる球抜き孔とを備え、前記ロック機構は前記球抜き孔を塞ぐことを特徴とする。
【００１４】
本発明によれば、遊技機前面から裏面に貫通して球抜き装置を操作する球抜き孔がロック機構により閉塞されるため、球抜き棒により球抜き手段を操作できず、球抜きが行われない。球抜き操作が必要な際は、前記同様に遊技場関係者が遊技機の前面扉を開き、ロック機構を解除して球抜き孔を開放して行われる。
【００１５】
また、前記球抜き装置を操作する球抜き手段は、遊技機の内部に設け、遊技機の前面からは操作できない様にするのが好ましい。
【００１６】
本発明によれば即ち、遊技機の前面に球抜き手段がなく、前面から球抜き装置を操作できず、遊技場ホール管理者でなければ開けられない遊技機の内部に設けられており、球抜き操作が必要な際は前記同様、遊技場関係者が遊技機を開き、内部の球抜き手段を操作して球抜きが行われる。
【００１７】
また、前記球抜き装置を操作する球抜き手段は、電気的に球抜き装置を開閉操作するようにしてもよい。即ち、手動でなく電気的駆動装置を用いて球抜き装置を操作するものであり、複雑な機械的機構を必要とせずに容易に球抜き装置の球抜き操作が可能となる。
【発明の効果】
【００１８】
本発明によれば、内部の球抜き装置にロック機構を設けたので、ロック機構を解除しないと、前面から遊技者が球抜き手段を操作しても貯留遊技球を排出することができない。従って、遊技場ホール関係者が遊技機前面の前面扉乃至中枠をキーで開け、内部に設けたロック機構を外さなければ遊技機前面からの球抜き手段が作動せず、例えば前面の球抜き孔に球抜き棒を挿入して球抜きを行う球抜き手段が操作できない。即ち、内部の球抜き装置のロック機構を外さなければ球抜き装置が作動しない。従ってホール関係者が開閉キーを用いて遊技機を開け、裏面のロック機構を解除してホール関係者による球抜きが行われるため、遊技者による不正な球抜きが行われず、貯留遊技球を賞球払出し側へ排出される不正行為が解消される。
【発明を実施するための最良の形態】
【００１９】
遊技球を用いる遊技機の内部に遊技球払出装置及び球抜き装置を有し、該球抜き装置を操作する球抜き手段によって内部に貯留する貯留遊技球を排出するようにした遊技機において、遊技機の内部に球抜き装置のロック機構を設け、ロック機構を解除しなければ球抜き手段を操作しても貯留遊技球が排出できないようにした遊技機で、球抜き装置の球抜き手段は遊技機前面から操作できない構造にしても良い。
【実施例１】
【００２０】
以下本発明の第１実施例について、パチンコ機を例にとって説明する。
図１はパチンコ遊技機１の裏面を示す図で、上部に貯留球タンク３、その下方に貯留球を整列して流下させるタンクレール２２、屈曲部２３を有す球通路２４を経て賞球払出装置２５が設けられ、賞球払出装置２５の下部には球抜き装置４を構成する切換え用弁板４４を介して、賞球払出し側通路４６と球抜き側通路４８が形成されている。
【００２１】
図２及び図３は賞球払出装置２５及び球抜き装置４を示す要部の斜視図と裏面図である。賞球払出装置２５はケース２６内に設けた水平な仕切り壁３０の下空間３２内にあり、円盤状の回転体２７が回転軸２８を中心に回転自在に設けてあり、回転体２７はステッピングモータ３４で所定回転毎に回転する。回転体２７には遊技球を収納する４個の貫通孔２９ａ〜２９ｄを設けて、上部の球通路２４ａ、２４ｂから送られた遊技球が通常時弁板４４に支持されて貫通口２９ａと２９ｃ内に収容され、９０度回転して貫通孔２９ｂと２９ｄ位置で賞球払出通路４６へ落下して賞球として払出される。通常時、切換え用弁板４４によって回転体２７の賞球通路側貫通口２９ｂと２９ｄを開口し、球抜き側貫通口２９ａと２９ｃ側を閉止している。
【００２２】
球抜き装置４は、切換え用弁板４４と該切換え用弁板４４を作動させる球抜き手段４５とで構成されている。球抜き手段４５は、図２に示すように前面枠２に前面から裏面に貫通して形成される球抜き孔４２と、球抜き孔４２に挿入される操作棒２１により押圧される開閉レバー４７と、切換え用弁板４４を移動させるクランク４９と、開閉レバー４７とクランク４９とを連係するロッド４３とで構成されている。
【００２３】
球抜操作は、切換え用弁板４４を移動させ、賞球払出し通路４６と球抜き通路４８を切換えることによって行われる。まず前面から球抜き孔４２に操作棒２１が挿入して開閉レバー４７を裏面側へ押圧する。そして、図２、図３において、開閉レバー４７の回転によってロッド４３を下方へ押圧し、クランク４９を回転する。クランク４９の回転によって切換え用弁板４４が引っ張られて手前に移動されると、弁板４４で閉止していた貫通口２９ａと２９ｃを開口して上部の球通路２４ａ，２４ｂと球抜き通路４８が連通し、貯留球が回転体２７の貫通口２９ａと２９ｃから下部の球抜き通路４８へ排出され球抜きされる。
【００２４】
４０は開閉レバー４７を回転不能に固定するロック機構としてのロックレバーであって、４５度回転可能なかぎ型レバー４０が前面枠２に固定されている。ロックレバー４０を図３点線で示す下向きに回転することにより開閉レバー４７が係止され、ロックされて、前面から操作棒２１で開閉レバー４７を押しても動かず、球抜き装置４が作動しない。球抜き時は前面枠２を開いて前面枠２の裏面でロックレバー４０を回転しロックを外してから、手動でまたは前面から球抜き棒２１を球抜き孔４２に挿入して球抜き操作が行われる。
【実施例２】
【００２５】
尚、別ロック機構の実施例として、上記図２におけるロックレバー４０の回転端部を平板部４１に設け、このロックレバー４０の回転端平板部４１で前面枠２に開けられた球抜き孔４２を塞ぐようにしてもよい。平板部４１で球抜き孔４２を塞いだ状態では、前面から球抜き孔４２に球抜き棒２１を挿入しても平板部４１に邪魔されて開閉レバー４７に届かず、ロックレバー４０を回転して球抜き孔４２を開放しないと、遊技機１前面からは球抜き操作が行えない。
【実施例３】
【００２６】
本発明の第３実施例の遊技機１について、図４乃至図９を参照して説明する。本第３実施例の球抜き装置は、前記図１の裏面図を参照して上部の貯留球タンク３からタンクレール２２及び賞球払出装置２５を結ぶ球通路２４の屈曲部２３部分に図４乃至図９の球抜き装置４が設けられている。
【００２７】
図４はパチンコ機裏面の球抜き装置を示す要部の図で通常使用状態のロックして球抜き口を塞いだ状態を示す斜視図、図５は球抜き装置を示す要部の図でロック機構を解除した状態を示す斜視図、図６は遊技機前面から球抜き棒を挿入する状態を示す斜視図、図７は前記球抜き棒を操作して弁開閉レバーを回転操作し、弁部材を開放した状態を示す斜視図、図８は図７の状態から弁部材が貯留遊技球の球圧で押されて球抜き口が開いた状態を示す斜視図、図９は図８の状態から球抜き棒２１を解除して開閉レバー７がスプリング力で元に戻り、弁部材６が開放状態に維持されたことを示す斜視図である。
【００２８】
タンクレール２２と賞球払出装置２５間に通常流下する球通路２４があり、球通路２４は遊技球の重力で落下する傾斜通路に形成され、途中で曲がり屈曲部２３を形成してある。この球通路の屈曲部２３に球抜き口（図示省略）を設けて球抜き装置４が設けられており、球抜き口の下部は球抜き通路４８になっており、下部の排出樋に連通している。球抜き装置４は球抜き口の外側に球抜き口を蓋で覆うように弁部材６が設けられており、弁部材６は球抜き口の外側の上部軸６１で回動自在に軸支され、上部軸６１を支点に下部が揺動開閉するように装着されている。
【００２９】
弁部材６の揺動側下端は、金属製の重錘ロッド６２を装着して２列の球通路２２ａ、２２ｂに対応する２組の弁部材６ａ、６ｂを連結している。重錘ロッド６２は、弁部材６を重みで球抜き口側へ自動閉止するようにしている。この重錘ロッド６２の長手方向一端部にかぎ型の開閉レバー７が設けられている。開閉レバー７は通常、重錘ロッド６２の一端を係止しており、球抜き時に遊技機１の前面枠２の球抜き孔４２に挿入される球抜き棒２１の操作で開閉レバー７が押圧されて回転し、重錘ロッド６２の係止を解除したり又係止したりして、弁部材６の規制、解除が行われて球抜きが行われる。
【００３０】
ロック装置８は、本実施例ではパチンコ遊技機１の裏面で機体に固定された掛け金８１からなり、この掛け金８１を弁部材６に装着した重錘ロッド６２の端部に係止してロック装置８としている。従って弁部材６に装着した重錘ロッド６２は、一端部が前記開閉レバー７で係止され、他端部がロック掛け金８１で係止されて、通常の遊技状態においても上部貯留球が誤って球抜き通路４８側へ流れるような誤作動が生じない安全が図られている。
【００３１】
またこのロック装置８を解除しない限り、いくら弁開閉レバー７を操作しても弁部材６が開かないので、球抜き操作が行えず、従って、遊技機の開閉キーを持つホール関係者でなければロック装置８を解除することができず、ホール関係者でしか球抜き操作をすることができない。このため遊技者による不正な球抜き操作が防止される。
ロック装置８の機構については上記のように手動で開閉解除できるものでよく、容易にロック装置８が適用できる。
【００３２】
また、本発明は、球抜き装置を操作する球抜き手段は、電気的に球抜き装置を開閉操作するようにしてもよい。即ち電気的にとは、手動でなく電気的駆動装置を用いて球抜き装置を操作するものであり、複雑な機械的機構を必要とせずに容易に球抜き装置の球抜き操作が可能となる。
【産業上の利用可能性】
【００３３】
ハンドルを回転して遊技盤に遊技球を発射し、遊技球を遊技盤上の入賞口に入賞させることによって所定の賞球が払い出される遊技機であって、詳しくは、遊技機内部の貯留タンクやタンクレールに遊技球を貯留するようにしたパチンコ遊技機等に好適なものである。
【図面の簡単な説明】
【００３４】
【図１】本発明の一実施例を示すパチンコ遊技機の裏面図である。
【図２】本発明の第１、第２実施例を示すパチンコ遊技機の要部斜視図である。
【図３】本発明の第１、第２実施例を示すパチンコ遊技機の要部裏面図である。
【図４】本発明の第３実施例を示すパチンコ遊技機裏面の球抜き装置を示す要部の図で、通常使用状態のロックして球抜き口を塞いだ状態を示す斜視図である。
【図５】本発明の第３実施例を示すパチンコ遊技機裏面の球抜き装置を示す要部の図で、ロック機構８を解除した状態を示す斜視図である。
【図６】本発明の第３実施例を示すパチンコ遊技機裏面の球抜き装置を示す要部の図で、遊技機前面から球抜き棒２１を挿入する状態を示す斜視図である。
【図７】本発明の第３実施例を示すパチンコ遊技機裏面の球抜き装置を示す要部の図で、球抜き棒２１を操作して弁開閉レバー７を回転操作し、弁部材６を開放した状態を示す斜視図である。
【図８】本発明の第３実施例を示すパチンコ遊技機裏面の球抜き装置を示す要部の図で、図７の状態から弁部材６が貯留遊技球の球圧で押されて球抜き口が開いた状態を示す斜視図である。
【図９】本発明の第３実施例を示すパチンコ遊技機裏面の球抜き装置を示す要部の図で、図８の状態から球抜き棒２１を解除して開閉レバー７が元に戻り、弁部材６が開放状態に維持されたことを示す斜視図である。
【符号の説明】
【００３５】
１    遊技機
２    前面枠
４    球抜き装置
６    弁部材
７    弁開閉レバー
８    ロック装置（ロック機構）
２１  貯留タンク
２２  タンクレール
２３  屈曲部
２４  球通路
２５  賞球払出装置
２６  ケース
２７  回転体
２８  回転軸
２９  回転体の貫通口
３０  仕切り壁
３２  下空間
３４  ステッピングモータ
４０  ロックレバー（ロック機構）
４１  ロックレバー端部の平板部
４２  球抜き孔
４３  ロッド
４４  弁板（弁部材）
４５  球抜き手段
４６  賞球払出し通路
４７  弁開閉レバー
４８  球抜き通路
６１  弁部材の上部軸
６２  重錘ロッド
８１  ロック掛け金
【手続補正３】
【補正対象書類名】図面
【補正対象項目名】図１
【補正方法】変更
【補正の内容】
【図１】
2005160881.tif 000001
【手続補正４】
【補正対象書類名】図面
【補正対象項目名】図２
【補正方法】変更
【補正の内容】
【図２】
2005160881.tif 000002
【手続補正５】
【補正対象書類名】図面
【補正対象項目名】図３
【補正方法】変更
【補正の内容】
【図３】
2005160881.tif 000003
【手続補正６】
【補正対象書類名】図面
【補正対象項目名】図４
【補正方法】変更
【補正の内容】
【図４】
2005160881.tif 000004